(57)【要約】【課題】  カシメパイプを光ファイバケーブルの先端から外被の中に押し込むに際し、手作業による面倒な挿入作業を必要とせずに自動的に容易に押し込むことができ、しかもカシメパイプの挿入位置決めを精確に行えるようにする。【解決手段】  光ファイバケーブルＰを挿入セットした状態で、操作部材Ｌによって前進乃至後退方向に移動可能として成るケーブル保持部２と、操作部材Ｌで前進移動するケーブル保持部２の先端突出部によって、バネ付勢した閉鎖端を押圧開放し、芯線Ｒに予め挿入しているカシメパイプＳを案内するよう両側に一対となって対向配置して成るガイド部材３と、カシメパイプＳのストッパー部４Ｂを先端に形成し、ガイド部材３に案内して前進移動したカシメパイプＳの先端をストッパー部４Ｂに係止した状態で芯線Ｒを挿入する芯線通路部４とを備える。【選択図】          図１
2006154651.tif 000002
【特許請求の範囲】
【請求項１】
光ファイバケーブルを挿入セットさせた状態で、操作部材によって前進乃至後退方向に移動可能として成るケーブル保持部と、操作部材で前進移動するケーブル保持部の先端突出部によって、バネ付勢された閉鎖端を押圧開放させて、芯線に予め挿入されているカシメパイプを案内させるよう両側に一対となって対向配置されて成るガイド部材と、カシメパイプのストッパー部が先端に形成され、ガイド部材に案内されて前進移動したカシメパイプの先端をストッパー部に係止させた状態で芯線を挿入させることによって当該カシメパイプの後端側を光ファイバケーブルの外被内側に挿入させる芯線通路部とを備えて成ることを特徴とする光ファイバケーブルのカシメパイプ挿入装置。
【請求項２】
ケーブル保持部は、光ファイバケーブルを弾性体によって挟圧保持しながら挿入セットされるライン状の挿入開放部を有すると共に、両側に側枠を立設した台座の中央ガイド部に沿って前後方向にスライド可能として構成した請求項１記載の光ファイバケーブルのカシメパイプ挿入装置。
【請求項３】
ケーブル保持部は、この挿入開放部を弾性的に閉塞方向に挟圧させることによって光ファイバケーブルを強く締付けながら前進移動させるよう当該ケーブル保持部における内側のラインから外側のラインへ接触可能とする両側一対の案内ローラを前記両側の側枠に備えた請求項２記載の光ファイバケーブルのカシメパイプ挿入装置。
【請求項４】
操作部材は、ケーブル保持部の両側に設けられた可動レバーと、ガイド部材の両側に設けられた固定レバーとによって形成されている請求項１乃至３のいずれかに記載の光ファイバケーブルのカシメパイプ装置。
【発明の詳細な説明】
【技術分野】
【０００１】
本発明は、光ファイバケーブルを接続するための光コネクタにおけるストップリング内に設けられたカシメリング内側に光ファイバケーブルを挿入し、光ファイバケーブルの芯線にカシメ力を与えずにカシメリングのみをカシメることで光ファイバケーブルの外被を光コネクタに確実に固定させるためのカシメパイプに係り、当該カシメパイプを自動的に光ファイバケーブルの外被内部へ挿入するための光ファイバケーブルのカシメパイプ挿入装置に関する。
【背景技術】
【０００２】
従来、特許文献１に開示されているように、光ファイバケーブルの先端から外被を除去し、露出した抗張力線を所定長さに切断した状態で、先端側から抗張力線と芯線との間にカシメ座を挿入し、抗張力線を介して外側段差部が外被の端面に当接するまでカシメ座を押し込んだ後、予め光ファイバケーブルに挿入しておいたカシメリングを先端側に移動させ、抗張力線部分と外被先端部分を覆うようにしている。そして、芯線の先端部にフェルールを固定後、カシメリングを外側から専用カシメ具を使ってカシメることで光ファイバケーブルの結線部として固定させているのである。
【特許文献１】特開２００４−１３３３７１号公報
【発明の開示】
【発明が解決しようとする課題】
【０００３】
上記した従来技術によれば、カシメリングを外側からカシメたとしても、光ファイバケーブルの芯線にカシメ力を与えずに光ファイバケーブルの外被を光コネクタに確実に固定させることができるのであるが、ただ、従来においては全て手作業でもってカシメ座を外被の中に押し込む等、非常に面倒な挿入作業を必要とし、しかもカシメ座の精確な挿入位置決めも非常に困難なものとなる虞れがあった。
【０００４】
そこで、本発明は、叙上のような従来存した諸事情に鑑み創出されたもので、カシメ座となるカシメパイプを光ファイバケーブルの先端から外被の中に押し込むに際し、手作業による面倒な挿入作業を必要とせずに自動的に容易に押し込むことができ、しかもカシメパイプの挿入位置決めを精確に行えるようにした光ファイバケーブルのカシメパイプ挿入装置を提供することを目的とする。
【課題を解決するための手段】
【０００５】
上述した課題を解決するため、本発明にあっては、光ファイバケーブルを挿入セットさせた状態で、操作部材によって前進乃至後退方向に移動可能として成るケーブル保持部と、操作部材で前進移動するケーブル保持部の先端突出部によって、バネ付勢された閉鎖端を押圧開放させて、芯線に予め挿入されているカシメパイプを案内させるよう両側に一対となって対向配置されて成るガイド部材と、カシメパイプのストッパー部が先端に形成され、ガイド部材に案内されて前進移動したカシメパイプの先端をストッパー部に係止させた状態で芯線を挿入させることによって当該カシメパイプの後端側を光ファイバケーブルの外被内側に挿入させる芯線通路部とを備えて成るものである。
【０００６】
ケーブル保持部は、光ファイバケーブルを弾性体によって挟圧保持しながら挿入セットされるライン状の挿入開放部を有すると共に、両側に側枠を立設した台座の中央ガイド部に沿って前後方向にスライド可能として構成することができる。
【０００７】
ケーブル保持部は、この挿入開放部を弾性的に閉塞方向に挟圧させることによって光ファイバケーブルを強く締付けながら前進移動させるよう当該ケーブル保持部側面に形成された内側のラインから外側のラインへ接触可能とする両側一対の案内ローラを前記両側の側枠に備えたものとすることができる。
【０００８】
操作部材は、ケーブル保持部の両側に設けられた可動レバーと、ガイド部材の両側に設けられた固定レバーとによって形成されるものとすることができる。
【０００９】
以上のように構成された本発明に係る光ファイバケーブルのカシメパイプ挿入装置にあって、光ファイバケーブルを挿入セットしたケーブル保持部は、操作部材によって前進移動される。
【００１０】
このとき、両側の案内ローラが内側のラインから外側のラインへ接触移行するため挿入開放部を弾性的に閉塞方向に挟圧させるものとなり、これによって光ファイバケーブルを強く締付けながら移動させる。
【００１１】
前進移動するケーブル保持部の先端突出部が両側に対向配置された一対のガイド部材の閉鎖端を押圧してバネ付勢力に抗して当該ガイド部材を開放させる。
【００１２】
そして、芯線に予め挿入されているカシメパイプがガイド部材に案内されて直線状を前進し、カシメパイプの先端が芯線通路部のストッパー部に当接係止された状態で芯線を芯線通路部内に挿入させることによって当該カシメパイプの後端側を光ファイバケーブルの外被内側に挿入させる。
【発明の効果】
【００１３】
本発明によれば、カシメパイプを光ファイバケーブルの先端から外被の中に押し込むに際し、手作業による面倒な挿入作業を必要とせずに自動的に容易に押し込むことができ、しかもカシメパイプの挿入位置決めを精確に行えるようにすることができる。
【００１４】
すなわち、これは本発明が、光ファイバケーブルを挿入セットさせた状態で、操作部材によって前進乃至後退方向に移動可能として成るケーブル保持部と、操作部材で前進移動するケーブル保持部の先端突出部によって、バネ付勢された閉鎖端を押圧開放させて、芯線に予め挿入されているカシメパイプを案内させるよう両側に一対となって対向配置されて成るガイド部材と、カシメパイプのストッパー部が先端に形成され、ガイド部材に案内されて前進移動したカシメパイプの先端をストッパー部に係止させた状態で芯線を挿入させることによって当該カシメパイプの後端側を光ファイバケーブルの外被内側に挿入させる芯線通路部とを備えて成るからであり、これにより、カシメパイプを光ファイバケーブルの外被内側に自動的に且つ確実に押し込むことができ、例えばカシメパイプ先端が外被先端から約１ｍｍ程度露出した状態等となるようにカシメパイプの挿入位置決めを精確に行うことができる。
【００１５】
ケーブル保持部は、光ファイバケーブルを弾性体によって挟圧保持しながら挿入セットされるライン状の挿入開放部を有すると共に、両側に側枠を立設した台座の中央ガイド部に沿って前後方向にスライド可能として構成したので、手作業による面倒なカシメパイプの挿入作業を必要とせずに操作部材で自動的に押し込むことができる。
【００１６】
ケーブル保持部は、この挿入開放部を弾性的に閉塞方向に挟圧させることによって光ファイバケーブルを強く締付けながら前進移動させるよう当該ケーブル保持部側面に形成された内側のラインから外側のラインへ接触可能とする両側一対の案内ローラを前記両側の側枠に備えたので、操作部材によるケーブル保持部の前進移動に際し、光ファイバケーブルが挿入開放部から外方へ離脱してしまうのを未然に防止することができる。
【００１７】
操作部材は、ケーブル保持部の両側に設けられた可動レバーと、ガイド部材の両側に設けられた固定レバーとによって形成されているので、ケーブル保持部の移動を容易に行なうことができ使い勝手が良いものである。
【発明を実施するための最良の形態】
【００１８】
以下、図面を参照して本発明を実施するための最良の一形態を説明すると、図において示される符号１は、カシメ座としてのカシメパイプＳを自動的に光ファイバケーブルＰの外被Ｑ内部へ挿入するための本発明のカシメパイプ挿入装置に係る装置本体であり、装置本体１は、図１乃至図４に示すように、操作部材Ｌで前進移動可能とするケーブル保持部２と、芯線Ｒに予め挿入されているカシメパイプＳを案内させるガイド部材３と、カシメパイプＳのストッパー部４Ａが先端に形成された芯線通路部４とから概ね構成されている。
【００１９】
すなわち、装置本体１は、略矩形板状の台座１１の長手方向に沿った左右両側に略コ字型枠状の一対の側枠１２Ａ、１２Ｂが互いにコ字凹部側が対向するようにして立設されており、両側枠１２Ａ、１２Ｂそれぞれのコ字上片部には案内ローラ１３が縦長の支軸１４によって水平回転自在となるように対向配置されている。そして、台座１１中央には長手方向に沿ってガイドレール１５が設けられ、このガイドレール１５にケーブル保持部２の下面中央の長手方向に沿って凹設したスライド凹部１６が係合されると共に、ケーブル保持部２における左右に対向する後述する一対のブロック２Ａ、２Ｂそれぞれの外側面に連設されている内側のライン１７Ａ、外側のライン１７Ｂそれぞれに前記案内ローラ１３が接触配置することで、ケーブル保持部２が台座１１上で前後方向にスライド移動できるように形成してある。
【００２０】
また、ケーブル保持部２の左右側面の前端部側には、操作部材Ｌとしてケーブル保持部２を手でスライド移動操作させるための水平突起棒状のハンドル式の一対の可動レバーＬ１が形成されている。さらに、ケーブル保持部２の上面側長手方向に沿っては、光ファイバケーブルＰを弾性体によって挟圧保持しながら挿入セットするためのライン状の挿入開放部２１が形成されている。尚、可動レバーＬ１としては、左右一対の水平突起棒状とする替わりに、環状の取っ手に形成する等、その他の種々のハンドル形状のものを採用しても良い。
【００２１】
すなわち、この挿入開放部２１は、図４に示すように、互いに拡開乃至閉塞方向に移動可能とした左右対向する一対のブロック２Ａ、２Ｂのうちの片方のブロック２Ａ（２Ｂ）側に収容凹部２２を設け、ここに拡圧バネ２３を圧縮状にして介装させることで互いにブロック２Ａ、２Ｂが拡開状に付勢され、これによって当該ブロック２Ａ、２Ｂ外側面の内側のライン１７Ａ、外側のライン１７Ｂそれぞれが前記側枠１２Ａ、１２Ｂ側の案内ローラ１３に圧接するようにしてある。そして、図４、図５、図７に示すように、一対のブロック２Ａ、２Ｂの互いに対向する上側内壁面それぞれには長手方向に沿って弾性体１８が付設され、この弾性体１８を介して光ファイバケーブルＰを弾性的に挟圧保持しながら挿入セットされるようにしてある。
【００２２】
こうして、図５、図６に示すように、案内ローラ１３が一対のブロック２Ａ、２Ｂの内側のライン１７Ａに接合しているときには挿入開放部２１が若干開いた状態となって光ファイバケーブルＰを挿入し易い状態とし、一方、案内ローラ１３が一対のブロック２Ａ、２Ｂの外側のライン１７Ｂに接合しているとき、すなわちケーブル保持部２が前方に向けて移動しているときには挿入開放部２１が若干閉塞した状態となって光ファイバケーブルＰを挟圧保持させる状態となるようにしている。
【００２３】
また、図７、図８に示すように、ケーブル保持部２における挿入開放部２１の前端位置にはカシメパイプ挿入口２４が形成され、挿入開放部２１に挿入された光ファイバケーブルＰの外被Ｑがこのカシメパイプ挿入口２４の開口周縁に突き当たる位置まで光ファイバケーブルＰが押し込まれ、カシメパイプ挿入口２４の反対側から芯線Ｒと共にカシメパイプＳの前側が露出するようにしてある。
【００２４】
ガイド部材３は、図１、図５、図７に示すように、前方へ向けて扉状に開閉可能となるよう固定レバーＬ２の基端側で支軸３Ｄによって揺動可能にした左右対向する一対のガイドブロック３Ａ、３Ｂの閉鎖端同士を引っ張りバネ３Ｃによって閉塞方向に常時付勢させる（図５参照）と共に、ガイド部材３に手で保持するための水平突起棒状の一対の固定レバーＬ２が形成されている。そして、可動レバーＬ１操作で前進移動するケーブル保持部２のカシメパイプ挿入口２４における先端突出部によって、引っ張りバネ３Ｃによって付勢された閉鎖端を押圧開放させて（図７参照）、芯線Ｒに予め挿入されているカシメパイプＳを案内させるようにしてある。固定レバーＬ２は、操作部材Ｌとしての可動レバーＬ１と最も離間している状態（操作前）で両レバーを手先で掴める距離をおいて配置されている。
【００２５】
また、芯線通路部４は、台座１１中央の前側に固設されたブロック４Ａの上側に、前記ケーブル保持部２のカシメパイプ挿入口２４に対向して設けられており、この芯線通路部４の先端側には当該芯線通路部４の孔径よりも拡径された凹状のストッパー部４Ｂが形成されている。こうして、ガイド部材３に案内されて前進移動したカシメパイプＳの先端をこのストッパー部４Ｂに係止させた状態で芯線Ｒのみを芯線通路部４内に挿入させることによって当該カシメパイプＳの後端側が光ファイバケーブルＰの外被Ｑ内側にスムーズに挿入させられるようにしてある。
【００２６】
尚、図６、図８に示すように、ケーブル保持部２の前進移動のストローク範囲は、ストッパー部４Ｂに係止されたカシメパイプＳが外被Ｑ内側に挿入された際に、外被Ｑ先端よりカシメパイプＳが約１ｍｍ程度だけ露出するような大きさに設定されている。
【００２７】
次に、本構成におけるカシメパイプ挿入装置の使用方法について説明すると、先ず、図９に示すように、光ファイバケーブルＰの先端から外被Ｑを除去し、芯線Ｒ先端側からカシメパイプＳを挿入し、当該カシメパイプＳを外被Ｑの根元位置まで移動させておく。この状態で、図５、図６に示すように、カシメパイプＳが抜け落ちないように注意しながら装置本体１のケーブル保持部２における挿入開放部２１に光ファイバケーブルＰを挿入し、外被Ｑが挿入開放部２１先端側のカシメパイプ挿入口２４の開口周縁に突き当たる位置まで光ファイバケーブルＰを押し込んでおく。尚、このとき、外被Ｑの根元位置における抗張力線（ケブラ）Ｋは、挿入方向に対して反対方向へ折り返されている状態にしておくと作業がし易い。
【００２８】
そして、図７、図８に示すように、光ファイバケーブルＰを軽く押しながら固定レバーＬ２と操作部材Ｌとしての可動レバーＬ１を手先に引っ掛けて当該レバーＬ１前方へ移動させる。このとき、両側の案内ローラ１３が内側のライン１７Ａから外側のライン１７Ｂへ接触移行して挿入開放部２１を弾性的に閉塞方向に挟圧させることによって光ファイバケーブルＰ自体を強く締付けながらケーブル保持部２が移動して行く。同時に、前進移動するケーブル保持部２の先端突出部が両側に対向配置された一対のガイド部材３の閉鎖端を押圧して引っ張りバネ３Ｃの付勢力に抗して当該ガイド部材３を開放させ、芯線Ｒに予め挿入されているカシメパイプＳがガイド部材３に案内されて直線状を前進して行く。
【００２９】
そして、カシメパイプＳの先端が芯線通路部４のストッパー部４Ａに当接係止された状態で芯線Ｒを芯線通路部４内に挿入させることによって当該カシメパイプＳの後端側が光ファイバケーブルＰの外被Ｑ内側に挿入されるものとなる。可動レバーＬ１等から手を放すと、前記ガイド部材３の閉鎖端の閉塞方向への引っ張りバネ３Ｃの付勢によってケーブル保持部２は押し退けられて後方の位置に戻り、挿入開放部２１から光ファイバケーブルＰを取り出して作業が完了する。この後、カシメパイプＳが外被Ｑ先端より約１ｍｍ程度に露出しているかを確認する（図１０参照）。
【００３０】
また、光ファイバケーブルＰの芯線Ｒ端部を収容するフェルール３１、フェルール３１を先端側に付勢するスプリング３２、スプリング３２の基端部を支持するストップリング３３、ストップリング３３の先端側を覆うように設けられたプラグフレーム３４、ストップリング３３の端部に取り付けられたブーツ３５それぞれから成る光コネクタ３０（図１２参照）を光ファイバケーブルＰに取り付ける場合には、図１１に示すように、光ファイバケーブルＰに予め挿入しておいたカシメリング３６を先端側に移動させて外被Ｑ先端部分を覆うようにしてから、芯線Ｒの先端部をフェルール３１に固定後、カシメリング３６を外側から不図示の専用カシメ具を使ってカシメることで光ファイバケーブルＰの結線部として固定させる。尚、このとき、図１２に示したように抗張力線Ｋは、ストップリング３３の後端とカシメリング３６の先端間に挟着保持される。
【図面の簡単な説明】
【００３１】
【図１】本発明を実施するための最良の形態を示す平面図である。
【図２】同じく側面図である。
【図３】図１中、Ａ−Ａ断面図である。
【図４】図１中、Ｂ−Ｂ断面図である。
【図５】ケーブル保持部の前進移動前の状態を示す一部切欠平面図である。
【図６】図５中、Ｃ−Ｃ断面図である。
【図７】ケーブル保持部の前進移動後の状態を示す一部切欠平面図である。
【図８】図７中、Ｄ−Ｄ断面図である。
【図９】（ａ）乃至（ｃ）は外被の根元位置までカシメパイプを挿入する作業工程を順次示すものである。
【図１０】カシメパイプの後端側が光ファイバケーブルの外被内側に挿入された作業完成状態を示す一部切欠側面図である。
【図１１】カシメリングを外被外側からカシメた状態の一部切欠断面図である。
【図１２】光コネクタ全体の半断面図である。
【符号の説明】
【００３２】
Ｐ              光ファイバケーブル
Ｑ              外被
Ｒ              芯線
Ｓ              カシメパイプ
Ｋ              抗張力線
Ｌ              操作部材
Ｌ１            可動レバー
Ｌ２            固定レバー
１              装置本体
２              ケーブル保持部
２Ａ、２Ｂ      ブロック
３              ガイド部材
３Ａ、３Ｂ      ガイドブロック
３Ｃ            引っ張りバネ
３Ｄ            支軸
４              芯線通路部
４Ａ            ブロック
４Ｂ            ストッパー部
１１            台座
１２Ａ、１２Ｂ  側枠
１３            案内ローラ
１４            支軸
１５            ガイドレール
１６            スライド凹部
１７Ａ          内側のライン
１７Ｂ          外側のライン
１８            弾性体
２１            挿入開放部
２２            収容凹部
２３            拡圧バネ
２４            カシメパイプ挿入口
３０            光コネクタ
３１            フェルール
３２            スプリング
３３            ストップリング
３４            プラグフレーム
３５            ブーツ
３６            カシメリング
【図１】
2006154651.tif 000003
【図２】
2006154651.tif 000004
【図３】
2006154651.tif 000005
【図４】
2006154651.tif 000006
【図５】
2006154651.tif 000007
【図６】
2006154651.tif 000008
【図７】
2006154651.tif 000009
【図８】
2006154651.tif 000010
【図９】
2006154651.tif 000011
【図１０】
2006154651.tif 000012
【図１１】
2006154651.tif 000013
【図１２】
2006154651.tif 000014